(57)【要約】【課題】光学ファインダと電子ファインダとの使用切換えにおいて撮影者の負担を軽減して省電力を適切に図れ、ファインダ窓から進入する外光を的確に遮断できる撮像装置を提供する。【解決手段】撮像装置では、交換レンズを通った被写体光像をファインダ窓に導く光学ファインダと、交換レンズを通った被写体光像を受光する撮像素子で順次に生成される画像信号に基づきライブビュー表示する電子ファインダとの使用切換えが可能である。そして、ファインダ窓での接眼検知時には、アイピースシャッタを開けるとともにモニタを非表示状態にしてライブビュー表示をオフにする(ＳＴ２〜３)。一方、接眼の非検知時には、アイピースシャッタを閉じてライブビュー表示をオンにする(ＳＴ４〜５)。以上により、光学ファインダと電子ファインダとの使用切換えにおいて撮影者の負担を軽減して省電力を適切に図れ、ファインダ窓から進入する外光を的確に遮断できる。【選択図】図７
2008170872.tif 000002
【特許請求の範囲】
【請求項１】
撮像装置であって、
(a)所定の撮影光学系を通った被写体光像に係る画像信号を生成する撮像手段と、
(b)表示状態と非表示状態との切換えが可能な表示手段と、
(c)前記撮像手段で順次に生成される画像信号に基づき、本撮影前のプレビュー表示を前記表示手段で行わせる電子ファインダ手段と、
(d)前記所定の撮影光学系を通った被写体光像をファインダ窓に導く光学ファインダ手段と、
(e)前記ファインダ窓についての接眼を検知する接眼検知手段と、
(f)前記ファインダ窓から前記撮像装置内に進入する外光を遮断する遮光状態と、非遮光状態との切換えが可能なシャッタ手段と、
(g)前記接眼検知手段で前記接眼が検知される場合には、前記表示手段を前記非表示状態にするとともに、前記シャッタ手段を前記非遮光状態にして前記被写体光像を前記ファインダ窓に導く第１制御手段と、
(h)前記接眼検知手段で前記接眼が検知されない場合には、前記シャッタ手段を前記遮光状態にするとともに、前記表示手段を前記表示状態にして前記プレビュー表示を行わせる第２制御手段と、
を備えることを特徴とする撮像装置。
【請求項２】
請求項１に記載の撮像装置において、
前記表示手段は、
(b-1)外光の反射を光源として用いる反射型と、バックライトを光源として用いる透過型との切換えが可能な半透過型液晶モニタ、
を備えるとともに、
前記接眼検知手段は、
(e-1)周辺の光量を測定可能な光量測定手段、
を備え、
前記第２制御手段は、
(h-1)前記光量測定手段で測定される光量が所定の光量以上となる場合には、前記半透過型液晶モニタを前記反射型にして前記バックライトを消灯させる手段と、
(h-2)前記光量測定手段で測定される光量が前記所定の光量未満となる場合には、前記半透過型液晶モニタを前記透過型にして前記バックライトを点灯させる手段と、
を有することを特徴とする撮像装置。
【請求項３】
請求項１に記載の撮像装置において、
前記光学ファインダ手段は、
(d-1)前記所定の撮影光学系からの光束であって主反射面で反射された光束である観察用光束を前記ファインダ窓へと導くことが可能なファインダ光学系、
を備え、
前記撮像手段は、
(a-1)前記観察用光束を受光して前記画像信号を生成する撮像素子、
を備えるとともに、
前記ファインダ光学系は、
前記観察用光束を反射する所定の反射面と、
前記所定の反射面の姿勢に関して、前記観察用光束を前記ファインダ窓に向かって反射させる第１姿勢と、前記観察用光束を前記撮像素子に向かって反射させる第２姿勢との切換えを行う姿勢切換手段と、
を有し、
前記第１制御手段は、
(g-1)前記接眼検知手段で前記接眼が検知される場合には、前記姿勢切換手段により前記所定の反射面を前記第１姿勢にして前記被写体光像を前記ファインダ窓に導く手段、
を有するとともに、
前記第２制御手段は、
(h-3)前記接眼検知手段で前記接眼が検知されない場合には、前記姿勢切換手段により前記所定の反射面を前記第２姿勢にして、前記撮像素子で順次に生成される画像信号に基づく前記プレビュー表示を行わせる手段、
を有することを特徴とする撮像装置。
【発明の詳細な説明】
【技術分野】
【０００１】
本発明は、光学ファインダ機能と電子ファインダ機能とを備えた撮像装置に関する。
【背景技術】
【０００２】
一眼レフレックスタイプ(以下では「一眼レフタイプ」とも略称する)のデジタルカメラでは、被写体の確認は一般に光学ファインダで行われるが、本撮影前に被写体を動画的態様でモニタに表示する電子ファインダ機能を有するものも製品化されている。
【０００３】
このような電子ファインダを使用する場合、光学ファインダのファインダー窓から撮影者の眼が離れるため、太陽光の下などでは、ファインダー窓からの逆入光が極端に多くなって撮影光学系に悪影響を及ぼし、撮像される被写体画像の画質を劣化させてしまうという問題がある。この問題に対しては、逆入光の遮断が可能なアイピースシャッタをファインダー窓付近に設置する対策が考えられる。
【０００４】
例えば特許文献１に開示される一眼レフタイプのカメラでは、手動操作で電子ファインダに切換える際、これと連動して上記のアイピースシャッタが閉止動作されて逆入光の進入を防止するようにしている。
【０００５】
また、例えば特許文献２に開示される一眼レフタイプのカメラでは、ファインダ窓についての接眼を検知する接眼検知部を設け、リモコン撮影時やセルフタイマ撮影時に接眼検知部で接眼が検知されない場合には、上記のアイピースシャッタを自動的に閉状態にして逆入光の進入を防止するようにしている。
【０００６】
【特許文献１】特開２００１−１６４８５号公報
【特許文献２】特開２０００−１４７６０２号公報
【発明の開示】
【発明が解決しようとする課題】
【０００７】
しかしながら、上記特許文献１のカメラでは、電子ファインダへの手動切換えに連動してアイピースシャッタの閉動作が行われるため、手動操作を行う撮影者の負担が増加する。
【０００８】
一方、上記特許文献２のカメラでは、接眼検知部で接眼が検知されないリモコン撮影時やセルフタイマ撮影時にはアイピースシャッタが自動的に閉状態にされるものの、特許文献２のカメラはフィルムカメラとして構成されており、電子ファインダ機能が設けられてないため、接眼が検知されない電子ファインダ使用時にアイピースシャッタが閉状態にされファインダ窓から進入する外光を的確に遮断できるとも限らず、また接眼が検知される光学ファインダ使用時に、電子ファインダとしてのモニタをオフにして省電力を適切に図れるとも限らない。
【０００９】
本発明は、上記課題に鑑みてなされたものであり、光学ファインダと電子ファインダとの使用切換えにおいて撮影者の負担を軽減して省電力を適切に図れるとともに、ファインダ窓から進入する外光を的確に遮断できる撮像装置を提供することを目的とする。
【課題を解決するための手段】
【００１０】
本発明の第１の側面は、撮像装置であって、(a)所定の撮影光学系を通った被写体光像に係る画像信号を生成する撮像手段と、(b)表示状態と非表示状態との切換えが可能な表示手段と、(c)前記撮像手段で順次に生成される画像信号に基づき、本撮影前のプレビュー表示を前記表示手段で行わせる電子ファインダ手段と、(d)前記所定の撮影光学系を通った被写体光像をファインダ窓に導く光学ファインダ手段と、(e)前記ファインダ窓についての接眼を検知する接眼検知手段と、(f)前記ファインダ窓から前記撮像装置内に進入する外光を遮断する遮光状態と、非遮光状態との切換えが可能なシャッタ手段と、(g)前記接眼検知手段で前記接眼が検知される場合には、前記表示手段を前記非表示状態にするとともに、前記シャッタ手段を前記非遮光状態にして前記被写体光像を前記ファインダ窓に導く第１制御手段と、(h)前記接眼検知手段で前記接眼が検知されない場合には、前記シャッタ手段を前記遮光状態にするとともに、前記表示手段を前記表示状態にして前記プレビュー表示を行わせる第２制御手段とを備えることを特徴とする。
【発明の効果】
【００１１】
本発明によれば、接眼検知手段でファインダ窓についての接眼が検知される場合には、表示手段を非表示状態にするとともに、光学ファインダに係るファインダ窓から撮像装置内に進入する外光を遮断する遮光状態と非遮光状態との切換えが可能なシャッタ手段を非遮光状態にして所定の撮影光学系を通った被写体光像をファインダ窓に導く一方、接眼検知手段で接眼が検知されない場合には、シャッタ手段を遮光状態にするとともに、表示手段を表示状態にして、所定の撮影光学系を通った被写体光像を受光する撮像手段で順次に生成される画像信号に基づき本撮影前のプレビュー表示を行わせる。その結果、上記プレビュー表示を行う電子ファインダと光学ファインダとの使用切換えにおいて撮影者の負担を軽減して省電力を適切に図れるとともに、ファインダ窓から進入する外光を的確に遮断できる。
【発明を実施するための最良の形態】
【００１２】
＜第１実施形態＞
＜撮像装置の構成について＞
図１および図２は、本発明の第１実施形態に係る撮像装置１Ａの外観構成を示す図である。ここで、図１は、撮像装置１Ａの正面外観図であり、図２は、撮像装置１Ａの背面外観図である。この撮像装置１Ａは、レンズ交換式一眼レフレックスタイプのデジタルカメラとして構成されている。
【００１３】
図１に示すように、撮像装置１Ａは、カメラ本体部（カメラボディ）２を備えている。このカメラ本体部２に対して、交換式の撮影レンズユニット（交換レンズ）３が着脱可能である。
【００１４】
撮影レンズユニット３は、主として、鏡胴３６、ならびに、鏡胴３６の内部に設けられるレンズ群３７（図４〜５参照）及び絞り等によって構成される。レンズ群３７（撮影光学系）には、光軸方向に移動することによって焦点位置を変更するフォーカスレンズ等が含まれている。
【００１５】
カメラ本体部２は、撮影レンズユニット３が装着される円環状のマウント部Ｍｔを正面略中央に備え、撮影レンズユニット３を着脱するための着脱ボタン８９を円環状のマウント部Ｍｔ付近に備えている。
【００１６】
また、カメラ本体部２は、その正面左上部にモード設定ダイヤル８２を備え、その正面右上部に制御値設定ダイヤル８６を備えている。モード設定ダイヤル８２を操作することによって、カメラの各種モード（各種撮影モード（人物撮影モード、風景撮影モード、およびフルオート撮影モード等）、撮影した画像を再生する再生モード、および外部機器との間でデータ交信を行う通信モード等を含む）の設定動作（切替動作）を行うことが可能である。また、制御値設定ダイヤル８６を操作することによれば、各種撮影モードにおける制御値を設定することが可能である。
【００１７】
また、カメラ本体部２は、正面左端部に撮影者が把持するためのグリップ部１４を備えている。グリップ部１４の上面には露光開始を指示するためのレリーズボタン１１が設けられている。グリップ部１４の内部には電池収納室とカード収納室とが設けられている。電池収納室にはカメラの電源として、例えば４本の単３形乾電池が収納されており、カード収納室には撮影画像の画像データを記録するためのメモリカード９０（図４参照）が着脱可能に収納されるようになっている。
【００１８】
レリーズボタン１１は、半押し状態（Ｓ１状態）と全押し状態（Ｓ２状態）の２つの状態を検出可能な２段階検出ボタンである。レリーズボタン１１が半押しされＳ１状態になると、被写体に関する記録用静止画像（本撮影画像）を取得するための準備動作（例えば、ＡＦ制御動作およびＡＥ制御動作等）が行われる。また、レリーズボタン１１がさらに押し込まれてＳ２状態になると、当該本撮影画像の撮影動作（撮像素子５（後述）を用いて被写体像（被写体の光像）に関する露光動作を行い、その露光動作によって得られた画像信号に所定の画像処理を施す一連の動作）が行われる。
【００１９】
図２において、カメラ本体部２の背面略中央上部には、ファインダ窓（接眼窓）１０が設けられている。撮影者は、ファインダ窓１０を覗くことによって、撮影レンズユニット３から導かれた被写体の光像を視認して構図決定を行うことができる。すなわち、レンズ群３７(図５参照)を通った被写体光像をファインダ窓１０に導く光学ファインダを用いて、撮影者の構図決め動作が可能となる(後で詳述)。
【００２０】
ファインダ窓１０の下には、赤外光を発する投光ＬＥＤ１５１と受光センサ１５２とを備えた接眼検知部１５Ａが配設されている。この接眼検知部１５Ａにより、図３に示すように投光ＬＥＤ１５１から発せられた赤外光ＩＲが撮影者の眼Ｅｙで反射され、この反射光を受光センサ１５２で検出できれば、撮影者の眼Ｅｙがファインダ窓１０に接近していることの検知(接眼検知)が可能となる。
【００２１】
なお、本実施形態に係る撮像装置１Ａでは、背面モニタ１２に表示される本撮影前のライブビュー画像(プレビュー画像)を用いて構図決めを行うことも可能である(後で詳述)。このライブビュー表示(電子ファインダ)による構図決め動作と上記の光学ファインダによる構図決め動作とは、接眼検知部１５Ａでファインダ窓１０についての接眼が検知されるか否かに応じて自動的に切換えられる。
【００２２】
図２において、カメラ本体部２の背面の略中央には、背面モニタ１２が設けられている。背面モニタ１２は、例えばカラー液晶ディスプレイ（ＬＣＤ）として構成されており、表示のオン状態(表示状態)と表示のオフ状態(非表示状態)との切換えが可能である。そして、背面モニタ１２は、撮影条件等を設定するためのメニュー画面を表示したり、再生モードにおいてメモリカード９０に記録された撮影画像を再生表示したりすることができる。また、背面モニタ１２では、撮像素子７（後述）によって取得された時系列の複数の画像（すなわち動画像）に基づくライブビュー表示が可能となっている。
【００２３】
背面モニタ１２の左上部にはメインスイッチ８１が設けられている。メインスイッチ８１は２点スライドスイッチからなり、接点を左方の「ＯＦＦ」位置に設定すると、電源がオフになり、接点の右方の「ＯＮ」位置に設定すると、電源がオンになる。
【００２４】
背面モニタ１２の右側には方向選択キー８４が設けられている。この方向選択キー８４は円形の操作ボタンを有し、この操作ボタンにおける上下左右の４方向の押圧操作と、右上、左上、右下及び左下の４方向の押圧操作とが、それぞれ検出されるようになっている。なお、方向選択キー８４は、上記８方向の押圧操作とは別に、中央部のプッシュボタンの押圧操作も検出されるようになっている。
【００２５】
背面モニタ１２の左側には、メニュー画面の設定、画像の削除などを行うための複数のボタンからなる設定ボタン群８３が設けられている。
【００２６】
次に、図４を参照しながら、撮像装置１Ａの機能の概要について説明する。図４は、撮像装置１Ａの機能構成を示すブロック図である。
【００２７】
図４に示すように、撮像装置１Ａは、操作部８０、全体制御部１０１Ａ、フォーカス制御部１２１、ミラー制御部１２２、シャッタ制御部１２３、タイミング制御回路１２４、およびデジタル信号処理回路５０等を備える。
【００２８】
操作部８０は、レリーズボタン１１（図１参照）を含む各種ボタンおよびスイッチ等を備えて構成される。操作部８０に対する撮影者の入力操作に応答して、全体制御部１０１Ａが各種動作を実現する。
【００２９】
全体制御部１０１Ａは、マイクロコンピュータとして構成され、主にＣＰＵ、メモリ、及びＲＯＭ等を備える。全体制御部１０１Ａは、ＲＯＭ内に格納されるプログラムを読み出し、当該プログラムをＣＰＵで実行することによって、各種機能を実現する。例えば、全体制御部１０１Ａは、ＡＦモジュール２０およびフォーカス制御部１２１等と協働して、フォーカスレンズの位置を制御する合焦制御動作を行う。全体制御部１０１Ａは、ＡＦモジュール２０によって検出される被写体の合焦状態に応じて、フォーカス制御部１２１を用いてＡＦ動作を実現する。なお、ＡＦモジュール２０は、ミラー機構６によって導かれた被写体からの光を用いて、位相差方式等の合焦状態検出手法により被写体の合焦状態を検出することが可能である。
【００３０】
フォーカス制御部１２１は、全体制御部１０１Ａから入力される信号に基づいて制御信号を生成しモータＭ１を駆動することによって、撮影レンズユニット３のレンズ群３７に含まれるフォーカスレンズを移動する。また、フォーカスレンズの位置は、撮影レンズユニット３のレンズ位置検出部３９によって検出され、フォーカスレンズの位置を示すデータが全体制御部１０１Ａに送られる。このように、フォーカス制御部１２１および全体制御部１０１Ａ等は、フォーカスレンズの光軸方向の動きを制御する。
【００３１】
ミラー制御部１２２は、ミラー機構６が光路から退避した状態（ミラーアップ状態）とミラー機構６が光路を遮断した状態（ミラーダウン状態）との状態切替を制御する。ミラー制御部１２２は、全体制御部１０１Ａから入力される信号に基づいて制御信号を生成しモータＭ２を駆動することによって、ミラーアップ状態とミラーダウン状態とを切り替える。
【００３２】
シャッタ制御部１２３は、全体制御部１０１Ａから入力される信号に基づいて制御信号を生成しモータＭ３を駆動することによって、シャッタ４の開閉を制御する。
【００３３】
タイミング制御回路１２４は、撮像素子５等に対するタイミング制御を行う。
【００３４】
撮像素子（ここではＣＣＤセンサ（単にＣＣＤとも称する））５は、光電変換作用により被写体の光像を電気的信号に変換して、本撮影画像に係る画像信号（記録用の画像信号）を生成する。撮像素子５は、記録画像取得用の撮像素子であるとも表現される。
【００３５】
撮像素子５は、タイミング制御回路１２４から入力される駆動制御信号（蓄積開始信号および蓄積終了信号）に応答して、受光面に結像された被写体像の露光（光電変換による電荷蓄積）を行い、当該被写体像に係る画像信号を生成する。また、撮像素子５は、タイミング制御回路１２４から入力される読出制御信号に応答して、当該画像信号を信号処理部５１へ出力する。また、タイミング制御回路１２４からのタイミング信号（同期信号）は、信号処理部５１及びＡ／Ｄ（アナログ／デジタル）変換回路５２にも入力される。
【００３６】
撮像素子５で取得された画像信号は、信号処理部５１において所定のアナログ信号処理が施され、当該アナログ信号処理後の画像信号はＡ／Ｄ変換回路５２によってデジタル画像データ（画像データ）に変換される。この画像データは、デジタル信号処理回路５０に入力される。
【００３７】
デジタル信号処理回路５０は、Ａ／Ｄ変換回路５２から入力される画像データに対してデジタル信号処理を行い、撮像画像に係る画像データを生成する。デジタル信号処理回路５０は、黒レベル補正回路５３、ホワイトバランス（ＷＢ）回路５４、γ補正回路５５及び画像メモリ５６を備える。
【００３８】
黒レベル補正回路５３は、Ａ／Ｄ変換回路５２が出力した画像データを構成する各画素データの黒レベルを基準の黒レベルに補正する。ＷＢ回路５４は、画像のホワイトバランス調整を行う。γ補正回路５５は、撮像画像の階調変換を行う。画像メモリ５６は、生成された画像データを一時的に記憶するための、高速アクセス可能な画像メモリであり、複数フレーム分の画像データを記憶可能な容量を有する。
【００３９】
本撮影時には、画像メモリ５６に一時記憶される画像データは、全体制御部１０１Ａにおいて適宜画像処理（圧縮処理等）が施された後、カードＩ／Ｆ１３２を介してメモリカード９０に記憶される。
【００４０】
また、画像メモリ５６に一時記憶される画像データは、全体制御部１０１Ａによって適宜ＶＲＡＭ１３１に転送され、背面モニタ１２に画像データに基づく画像が表示される。これによって、撮影画像を確認するための確認表示（アフタービュー）、および撮影済みの画像を再生する再生表示等が実現される。
【００４１】
また、この撮像装置１Ａは、撮像素子５とは別の撮像素子７（図４も参照）をさらに備えている。撮像素子７は、いわゆるライブビュー画像取得用（電子ファインダ用）の撮像素子としての役割を果たす。すなわち、撮像素子７は、レンズ群(撮影光学系)３７を通り主ミラー６１で反射された被写体光像に関する画像信号を生成し、この撮像素子７で順次に生成される被写体の画像信号に基づくライブビュー表示(本撮影前のプレビュー表示)を背面モニタ１２Ａで行わせることで電子ファインダ機能が撮像装置１Ａで実現できることとなる。
【００４２】
この撮像素子７についても、撮像素子５と同様の構成を有している。ただし、撮像素子７は、ライブビュー用の画像信号（動画像）を生成するための解像度を有していればよく、通常、撮像素子５よりも少ない数の画素で構成される。
【００４３】
撮像素子７で取得された画像信号に対しても、撮像素子５で取得された画像信号と同様の信号処理が施される。すなわち、撮像素子７で取得された画像信号は、信号処理部５１で所定の処理が施され、Ａ／Ｄ変換回路５２でデジタルデータに変換された後、デジタル信号処理回路５０で所定の画像処理が施され、画像メモリ５６に格納される。
【００４４】
また、撮像素子７で取得され画像メモリ５６に格納される時系列の画像データは、全体制御部１０１Ａによって適宜ＶＲＡＭ１３１に順次に転送され、当該時系列の画像データに基づく画像が背面モニタ１２に表示される。これによって、構図決めを行うための動画的態様の表示（ライブビュー表示）が実現される。
【００４５】
さらに、撮像装置１Ａは、通信用Ｉ／Ｆ１３３を有しており、当該インターフェイス１３３の接続先の機器（例えば、パーソナルコンピュータ等）とデータ通信をすることが可能である。
【００４６】
また、撮像装置１Ａは、フラッシュ４１、フラッシュ制御回路４２、およびＡＦ補助光発光部４３を備えている。フラッシュ４１は、被写体の輝度不足時等に利用される光源である。フラッシュの点灯の有無および点灯時間等は、フラッシュ制御回路４２および全体制御部１０１Ａ等によって制御される。ＡＦ補助光発光部４３は、ＡＦ用の補助光源である。ＡＦ補助光発光部４３の点灯の有無および点灯時間等は、全体制御部１０１Ａ等によって制御される。
【００４７】
また、撮像装置１Ａは、ファインダ窓１０の奥に配設されファインダ光学系の光路を遮断できるアイピースシャッタ（後で詳述）１６と、アイピースシャッタ１６を開閉動作させるための駆動力を与えるモータ１７と、モータ１７に駆動電力を供給してコントロールするアイピースシャッタ駆動回路１８とを備えている。
【００４８】
＜撮像装置１Ａでの構図決め動作（フレーミング動作）について＞
つぎに、この撮像装置１Ａにおける構図決め動作（フレーミング動作）について説明する。上述したように、この撮像装置１Ａにおいては、ファインダ光学系等で構成される光学ファインダ（光学ビューファインダ（ＯＶＦ）とも称される）を用いて構図決め（フレーミング）を行うことが可能であるとともに、背面モニタ１２に表示されるライブビュー画像を用いた構図決め（電子ファインダによる構図決め）を行うことも可能である。
【００４９】
上述した接眼検知部１５Ａによる接眼検知の有無に応じて、光学ファインダを用いた構図決めと、電子ファインダを用いた構図決めとが自動的に選択される。これにより、光学ファインダと電子ファインダとの使用切換えにおいて、撮影者の負担が軽減される。
【００５０】
図５および図６は、撮像装置１Ａの断面図である。図５は、光学ファインダを用いた構図決め動作を示しており、図６は、電子ファインダを用いた構図決め動作を示している。
【００５１】
図５等に示すように、撮影レンズユニット３から撮像素子５に至る光路（撮影光路）上にはミラー機構６が設けられている。ミラー機構６は、撮影光学系からの光を上方に向けて反射する主ミラー６１（主反射面）を有している。この主ミラー６１は、例えばその一部または全部がハーフミラーとして構成され、撮影光学系からの光の一部を透過する。また、ミラー機構６は、主ミラー６１を透過した光を下方に反射させるサブミラー６２（副反射面）をも有している。サブミラー６２で下方に反射された光は、ＡＦモジュール２０へと導かれて入射し、位相差方式のＡＦ動作に利用される。
【００５２】
撮影モードにおいてレリーズボタン１１が全押し状態Ｓ２にされるまで、換言すれば構図決めの際には、ミラー機構６はミラーダウン状態となるように配置される（図５および図６参照）。そして、この際には、撮影レンズユニット３からの被写体像は、主ミラー６１で上方に反射され観察用光束としてペンタミラー６５に入射する。ペンタミラー６５は、複数のミラー（反射面）を有しており、被写体像の向きを調整する機能を有している。また、ペンタミラー６５に入射した後の、観察用光束の進路は、上記の両方式（すなわち光学ファインダ方式および電子ファインダ方式）のいずれが選択されて構図決めを行うかに応じて異なっている。これについては後述する。
【００５３】
一方、レリーズボタン１１が全押し状態Ｓ２にされると、ミラー機構６はミラーアップ状態となるように駆動され、露光動作が開始される。被写体に係る記録用静止画像（本撮影画像とも称する）を取得する際の動作（すなわち露光の際の動作）は、上記の両方式（すなわち光学ファインダ方式および電子ファインダ方式）による構図決めに共通である。
【００５４】
＜光学ファインダによる構図決め動作＞
次に、構図決めの際の上記両方式の各動作についてそれぞれ説明する。
【００５５】
まず、光学ファインダを用いた構図決め動作について説明する。
【００５６】
図５に示すように、ミラー機構６の主ミラー６１およびサブミラー６２が、撮影レンズユニット３からの被写体像の光路上に配置されると、被写体像が主ミラー６１とペンタミラー６５と接眼レンズ６７とを介してファインダ窓１０へと導かれる。このような光学ファインダでは、主ミラー６１とペンタミラー６５と接眼レンズ６７とを含むファインダ光学系６０により、レンズ群（撮影光学系）３７からの光束であって主ミラー(主反射面)６１で反射された光束である観察用光束をファインダ窓１０へと導くことが可能である。
【００５７】
詳細には、撮影レンズユニット３からの光は、主ミラー６１で反射されて上方に進路を変更し、焦点板６３において結像し、焦点板６３を通過する。その後、焦点板６３を通過した光は、ペンタミラー６５でその進路をさらに変更した後に接眼レンズ６７を通ってファインダ窓１０へ向かう（図５の光路ＰＡ参照）。このようにして、ファインダ窓１０を通過した被写体像は撮影者（観察者）の眼へ到達して視認される。すなわち、撮影者はファインダ窓１０を覗くことによって、被写体像を確認することができる。
【００５８】
ここにおいて、ペンタミラー６５は、三角屋根状に形成された２面のミラー（ダハミラー）６５ａ，６５ｂと、当該ダハミラー（ダハ面）６５ａ，６５ｂに対して固定された面６５ｃと、もう１つのミラー（反射面）６５ｅとを有している。また、三角屋根状の２面のミラー６５ａ，６５ｂは、プラスチック成型により一体部品６５ｄとして形成されている。主ミラー６１で反射されて上方に進路を変更した光は、ダハミラー６５ａ，６５ｂで反射されて左右反転されて進行し、さらにミラー６５ｅでも反射されることによって上下も反転されて撮影者の眼に到達する。このように、撮影レンズユニット３において左右上下が反転されていた光像は、ペンタミラー６５でさらに左右上下が反転される。これにより、撮影者は、光学ファインダにおいて、その上下左右が実際の被写体と同じ状態で被写体像を観察することができる。
【００５９】
また、主ミラー６１を透過した光はサブミラー６２で反射されて下方に進路を変更しＡＦモジュール２０へと進入する。ＡＦモジュール２０およびフォーカス制御部１２１等は、主ミラー６１およびサブミラー６２を介して進入してきた光を用いて、ＡＦ動作を実現する。
【００６０】
＜電子ファインダによる構図決め動作＞
次に、電子ファインダを用いた構図決め動作について説明する。
【００６１】
この場合にも、図６に示すように、ミラー機構６の主ミラー６１およびサブミラー６２が、撮影レンズユニット３からの被写体像の光路上に配置される。そして、撮影レンズユニット３からの光は、主ミラー６１で反射されて上方に進路を変更し、焦点板６３において結像し、焦点板６３を通過する。
【００６２】
ただし、この電子ファインダによる構図決め動作においては、焦点板６３を通過した光は、ペンタミラー６５でその進路をさらに変更した後に、結像レンズ６９（結像光学系）を通過して撮像素子７の撮像面上で再結像する（図６の光路ＰＢ参照）。なお、主ミラー６１で反射されて上方に進路を変更した光は、ダハミラー６５ａ，６５ｂで反射されて左右反転されて進行し、さらにミラー６５ｅでも反射されることによって上下も反転され、さらに結像レンズ６９で上下左右反転されて撮像素子７に到達する。
【００６３】
より詳細には、図５と比較すると判るように、図６においてはミラー６５ｅの角度（カメラ本体部２に対する角度）が変更されている。具体的には、ミラー６５ｅは、図５の状態から、その下端側の軸ＡＸ１を中心に矢印ＡＲ１の向きに所定角度α回動している。ここで、ミラー６５ｅは、不図示のアクチュエータ(例えばモータ)によって軸ＡＸ１を中心とした回転駆動が可能となっており、接眼検知部１５Ａで接眼が検知される場合にはミラー６５ｅの上端が面６５ｃの端部に当接する姿勢Ｔａ（図５）に移行されるとともに、接眼検知部１５Ａで接眼が検知されない場合にはミラー６５ｅの上端がミラー６５ｅの端部から一定距離離れた姿勢Ｔｂ(図６)に移行される。すなわち、ミラー６５ｅの姿勢に関しては、主ミラー６１で反射された光束(観察用光束)をファインダ窓１０に向かって反射させる図５の姿勢(第１姿勢)Ｔａと、観察用光束を撮像素子７に向かって反射させる図６の姿勢(第２姿勢)Ｔｂとの切換えが可能となっている。
【００６４】
このようにミラー６５ｅの姿勢を変更することによって、ミラー６５ｅで反射される光（観察用光束）の反射角度が変更され、当該ミラー６５ｅによる反射光の進行経路が変更される。具体的には、図５の状態に比べて、ミラー６５ｅへの入射角度θ１が比較的小さくなり、反射角度θ２も比較的小さくなる。その結果、ミラー６５ｅの反射光は、接眼レンズ６７に向かう光路からダハミラー６５ａ，６５ｂ寄りの光路へとその進路を上方に変更し、結像レンズ６９を通過して撮像素子７に到達する。なお、結像レンズ６９および撮像素子７は、接眼レンズ６７よりも上方に配置されており、且つ、光学ファインダ使用時にミラー６５ｅから接眼レンズ６７へと進行する光束を遮らない位置に配置されている。
【００６５】
また、ミラー６５ｅで反射された光束の進路は、ミラー６５ｅの変更角度αに応じて、その２倍の大きさの角度β（＝２×α）変更される。逆に言えば、反射光路の進行角度を角度β変更するために、ミラー６５ｅの回転角度は、当該角度βの半分の角度αで済む。すなわち、ミラー６５ｅの比較的小さな回転角度でミラー６５ｅの反射光の進路を比較的大きく変更することが可能である。また、ミラー６５ｅと撮像素子７とは比較的離れて配置されているため、ミラー６５ｅの回転角度を小さく変更するだけで、ミラー６５ｅによる２つの反射光を、互いに離れて配置された接眼レンズ６７および撮像素子７へと確実に導くことが可能である。すなわち、ミラー６５ｅの回転角度を小さく変更することによってミラー６５ｅによる反射光の光束を良好に２つの光路に選択的に進行させることが可能である。したがって、ミラー６５ｅの回転によるスペースの増大は最小限に止められる。
【００６６】
撮像素子７は、ミラー６５ｅで反射され結像レンズ６９を通過して撮像素子７に到達した被写体像に基づいて、ライブビュー画像を生成する。具体的には、主ミラー６１で反射された光束（観察用光束）を受光する撮像素子７において微小時間間隔（例えば、１／６０秒）で複数の画像信号を順次に生成する。そして、取得された時系列の画像信号は背面モニタ１２において順次に表示(ライブビュー表示)される。これによって、撮影者は、背面モニタ１２に表示される動画像（ライブビュー画像）を視認し、当該動画像を用いて構図決めを行うことが可能になる。
【００６７】
このライブビュー表示時においては、ファインダ窓１０からの距離が比較的近い撮像素子７にファインダ窓１０からの逆入光が回り込む等して撮像素子７で取得される被写体画像の画質を劣化させてしまう恐れがある。そこで、撮像装置１Ａでは、開閉動作を行うことによりファインダ窓１０から撮像装置１Ａ内に進入する外光を遮断する遮光状態と非遮光状態との切換えが可能なアイピースシャッタ(シャッタ手段)１６をファインダ窓１０と接眼レンズ６７との間に設け、ライブビュー表示時(電子ファインダ使用時)にはアイピースシャッタ１６を閉状態Ｑｂ(図６)にしてファインダ窓１０からの逆入光を遮断する。
【００６８】
また、この場合も、光学ファインダによる構図決めの際（図５参照）と同様に、主ミラー６１とサブミラー６２とを介してＡＦモジュール２０に入射した光を用いてＡＦ動作が実現される。
【００６９】
以上のように、ミラー６５ｅで反射した後の観察用光束の進路は、ミラー６５ｅの反射角度の変更によって、ミラー６５ｅから接眼レンズ６７およびファインダ窓１０に向かう光路ＰＡ（図５）と、ミラー６５ｅから結像レンズ６９および撮像素子７に向かう光路ＰＢ（図６）との間で切り換えられる。換言すれば、当該観察用光束の進路は、ミラー６５ｅの反射角度の変更によって、ミラー６５ｅで反射されてファインダ窓１０に向かう第１の光路ＰＡと、ミラー６５ｅで反射されて撮像素子７に向かう第２の光路ＰＢとの間で切り換えられる。
【００７０】
そして、撮像装置１Ａにおいては、ペンタミラー６５を構成する複数のミラー６５ａ，６５ｂ，６５ｅのうち、或る反射面（ミラー６５ｅ）の反射角度が変更される一方で、他の反射面（ダハミラー６５ａ，６５ｂ）は固定されている。すなわち、複数の反射面のうち、一の反射面６５ｅのみを駆動することによって観察用光束の進路が変更されるので、駆動部分を少なくしコンパクトな構成にすることができる。また、撮像装置１Ａにおいては、ファインダ光学系６０のペンタミラー６５に含まれる複数の反射面のうち、ダハミラー６５ａ，６５ｂ以外の反射面であるミラー６５ｅの反射角度を変更して、観察用光束の進路を変更しているので、ダハミラー６５ａ，６５ｂを駆動する場合に比べて容易に観察用光束の進路を変更することができる。
【００７１】
以上のような構成の撮像装置１Ａにおいては、接眼検知部１５Ａで接眼が検知されない場合には電子ファインダによる構図決めを撮影者が所望していると判断し、ミラー６５ｅを図６に示す姿勢Ｔｂにセットして撮像素子７に向かう光路ＰＢを選択するとともに、背面モニタ１２をオン状態（表示状態）にして撮像素子７から得られる画像信号に基づくライブビュー表示を行うようにする。この場合、撮像装置１Ａの筐体内にファインダ窓１０から外光が逆入すると撮像素子７(や撮像素子５)での露光に悪影響を及ぼすため、アイピースシャッタ１６を閉状態Ｑｂ(図６)にしてファインダ窓１０からの逆入光を遮断する。
【００７２】
一方、接眼検知部１５Ａで接眼が検知される場合には光学ファインダによる構図決めを撮影者が所望していると判断し、ミラー６５ｅを図５に示す姿勢Ｔａにセットしてファインダ窓１０に向かう光路ＰＡを選択するようにする。この場合、接眼非検知時に閉状態Ｑｂであったアイピースシャッタ１６を開状態Ｑａ（図５）にして光路ＰＡを確保するとともに、接眼非検知時にオン状態であった背面モニタ１２をオフ状態（非表示状態）にする。
【００７３】
以上で説明した構図決め動作時に撮像装置１Ａで行われる具体的な動作を、以下で説明する。
【００７４】
＜撮像装置１Ａの動作について＞
図７は、撮像装置１Ａの基本的な動作、特に構図決め時の動作を示すフローチャートである。
【００７５】
まず、メインスイッチ８１に対する撮影者の操作により撮像装置１Ａの電源がオンされると、接眼検知部１５Ａで接眼が検知されるかを判定する（ステップＳＴ１）。ここで、接眼が検知される場合には、ステップＳＴ２に進み、接眼が検知されていない場合には、ステップＳＴ４に進む。
【００７６】
ステップＳＴ２では、アイピースシャッタ１６を図５に示す開状態Ｑａにする。すなわち、アイピースシャッタ１６を非遮光状態にしてファインダ窓１０に向かう光路ＰＡを確保しレンズ群３７を通った被写体光像をファインダ窓１０に導く。ここでは、全体制御部１０１Ａからアイピースシャッタ駆動回路１８に駆動制御信号を送り、この駆動制御信号を受取ったアイピースシャッタ駆動回路１８がモータ１７によってアイピースシャッタ１６の開動作を実行する。
【００７７】
そして、ミラー(反射面)６５ｅを図５の姿勢(第１姿勢)Ｔａにして撮影レンズユニット３からの被写体光像をファインダ窓１０に導くようにする。これにより、撮影者がファインダ窓１０を覗くことで被写体像を確認できる。
【００７８】
ステップＳＴ３では、ライブビュー表示をオフにする。すなわち、光学ファインダによる構図決めを撮影者が行っているため、撮影者によって視認されない背面モニタ１２をオフ状態（非表示状態）にして節電する。
【００７９】
ステップＳＴ４では、アイピースシャッタ１６を図６に示す閉状態Ｑｂにする。すなわち、ファインダ窓１０からの逆入光を遮光するために、アイピースシャッタ１６が遮光状態とされる。ここでは、全体制御部１０１Ａからアイピースシャッタ駆動回路１８に駆動制御信号を送り、この駆動制御信号を受取ったアイピースシャッタ駆動回路１８がモータ１７によってアイピースシャッタ１６の閉動作を実行する。
【００８０】
そして、ミラー(反射面)６５ｅを図６の姿勢(第２姿勢)Ｔｂにして撮影レンズユニット３からの被写体光像を撮像素子７に導くようにする。
【００８１】
ステップＳＴ５では、ライブビュー表示をオンにする。すなわち、電子ファインダによる構図決めを撮影者が所望しているため、背面モニタ１２をオン状態（表示状態）にして撮像素子７で順次に生成される画像信号に基づくライブビュー表示(プレビュー表示)を行う。
【００８２】
以上の撮像装置１Ａの動作により、接眼検知部１５Ａで接眼が検知される場合にはアイピースシャッタ１６を開動作させて背面モニタ１２をオフにする一方、接眼検知部１５Ａで接眼が検知されない場合には、アイピースシャッタ１６を閉動作させてファインダ窓１０から進入する外光を遮断するとともに背面モニタ１２をオンにしてライブビュー表示を実施する。これにより、光学ファインダと電子ファインダとの使用切換えにおいて撮影者の負担を軽減して省電力を適切に図れるとともに、ファインダ窓から進入する外光を的確に遮断できることとなる。
【００８３】
＜第２実施形態＞
本発明の第２実施形態に係る撮像装置１Ｂについては、図１、図２および図４に示す撮像装置１Ａと類似の構成を有しているが、接眼検知部と背面モニタと全体制御部との構成が異なっている。以下では、第１実施形態と異なる撮像装置１Ｂの接眼検知部１５Ｂ、背面モニタ１２Ｂおよび全体制御部１０１Ｂを順に説明する。
【００８４】
接眼検知部１５Ｂにおいては、受光センサ１５２が、接眼検知に必要な光検出機能に加えて、受光センサ１５２の周囲(ファインダ窓１０の付近)の光量を測定可能な構成となっている。
【００８５】
背面モニタ１２Ｂは、半透過型液晶モニタとして構成されている。すなわち、背面モニタ１２Ｂでは、バックライトを消灯し外光の反射を光源として利用して表示する反射型と、バックライトを点灯しこの後方照射を光源として利用して表示する透過型との切換えが可能である。
【００８６】
このような構成の背面モニタ１２Ｂでは、接眼検知部１５Ｂの受光センサ１５２で検出される光量が予め定められた閾値(所定の光量)Ｌｍ以上となって周囲が明るい状況の場合には、反射型に設定してバックライトを消灯できることとなる。これにより、省電力が図れる。
【００８７】
全体制御部１０１Ｂは、以下で説明する撮像装置１Ｂの動作を行うためのプログラムをＲＯＭ内に格納している。
【００８８】
＜撮像装置１Ｂの動作について＞
図８は、撮像装置１Ｂの基本的な動作、特に構図決め時の動作を示すフローチャートである。
【００８９】
ステップＳＴ１１〜ＳＴ１５では、図７のフローチャートに示すステップＳＴ１〜ＳＴ５と同様の動作を行う。
【００９０】
ステップＳＴ１６では、接眼検知部１５Ｂの受光センサ１５２で検出される周辺の光量が予め定めれた閾値Ｌｍ以上であるかを判定する。すなわち、撮像装置１Ｂ（の背面側）の周辺が明るいか暗いかを判断する。ここで、周辺の光量が閾値Ｌｍ以上となって明るい場合には、ステップＳＴ１７に進み、周辺の光量が閾値Ｌｍ未満となって暗い場合には、ステップＳＴ１９に進む。
【００９１】
ステップＳＴ１７〜ＳＴ１８では、背面モニタ１２Ｂを上述の反射型に設定するとともに、背面モニタ１２Ｂのバックライトを消灯する。
【００９２】
ステップＳＴ１９〜ＳＴ２０では、背面モニタ１２Ｂを上述の透過型に設定するとともに、背面モニタ１２Ｂのバックライトを点灯する。
【００９３】
以上の撮像装置１Ｂの動作により、第１実施形態と同様の効果を奏する。さらに、撮像装置１Ｂでのライブビュー表示時においては、接眼検知部１５Ｂの受光センサ１５２で検出される周辺の光量が閾値Ｌｍ以上となって周囲が明るい場合には、背面モニタ１２Ｂを反射型にしてバックライトを消灯させる一方、周辺の光量が閾値Ｌｍ未満で周囲が暗い場合には、背面モニタ１２Ｂを透過型にしてバックライトを点灯させるため、省電力を適切に図れることとなる。
【００９４】
＜変形例＞
・上記の各実施形態におけるアイピースシャッタについては、図５〜６に示すようにメカニカルに開閉するシャッタとして構成されるのは必須でなく、例えば以下で説明する液晶シャッタとして構成されても良い。
【００９５】
図９は、本発明の変形例に係るアイピースシャッター１６Ａの構成を説明するための図である。
【００９６】
アイピースシャッタ１６Ａは、２枚のガラス１６１、１６２の間に液晶１６３が封入されるとともにガラス１６２上に偏向板１６４が設けられた液晶シャッタとして構成されている。
【００９７】
以上のような液晶シャッタとしてのアイピースシャッタ１６Ａにおいても、接眼検知部１５Ａ(１５Ｂ)で接眼検知されない場合にシャッタの閉動作を行うようにすれば、ファインダ窓１０からの逆入光を遮蔽することが可能となる。
【００９８】
・上記の各実施形態におけるアイピースシャッタについては、図６に示すようにファインダ窓１０の内側に設けるのは必須でなく、例えばファインダ窓１０の外側に設けるようにしても良い。
【図面の簡単な説明】
【００９９】
【図１】本発明の第１実施形態に係る撮像装置１Ａの正面外観図である。
【図２】撮像装置１Ａの背面外観図である。
【図３】接眼検知部１５Ａにおける接眼検知の原理を説明するための図である。
【図４】撮像装置１Ａの機能構成を示すブロック図である。
【図５】光学ファインダによる構図決め動作を示す断面図である。
【図６】電子ファインダによる構図決め動作を示す断面図である。
【図７】撮像装置１Ａの基本的な動作を示すフローチャートである。
【図８】本発明の第２実施形態に係る撮像装置１Ｂの基本的な動作を示すフローチャートである。
【図９】本発明の変形例に係るアイピースシャッター１６Ａの構成を説明するための図である。
【符号の説明】
【０１００】
１Ａ、１Ｂ  撮像装置
５、７  撮像素子
６  ミラー機構
１０  ファインダ窓
１２Ａ、１２Ｂ  背面モニタ
１５Ａ、１５Ｂ  接眼検知部
１６、１６Ａ  アイピースシャッタ
１７  モータ
１８  アイピースシャッタ駆動回路
６１  主ミラー
６５  ペンタミラー
６５ａ、６５ｂ  ダハミラー
６５ｅ  ミラー
１０１Ａ、１０１Ｂ  全体制御部
１５１  投光ＬＥＤ
１５２  受光センサ
ＰＡ、ＰＢ  光路
Ｔａ  ミラー６５ｅの第１姿勢
Ｔｂ  ミラー６５ｅの第２姿勢
【図１】
2008170872.tif 000003
【図２】
2008170872.tif 000004
【図３】
2008170872.tif 000005
【図４】
2008170872.tif 000006
【図５】
2008170872.tif 000007
【図６】
2008170872.tif 000008
【図７】
2008170872.tif 000009
【図８】
2008170872.tif 000010
【図９】
2008170872.tif 000011